(57)【要約】【課題】  省スペース、省資源及び高い環境保全性を実現した記録装置を提供する。【解決手段】  インクを吐出して記録媒体に記録を行う記録手段を備えたインクジェット記録装置において、前記記録手段のインク吐出口から導き出されるインクを再利用するための記録モードを備える。【選択図】  図２
2006051758.tif 000002
【特許請求の範囲】
【請求項１】
インクを吐出して記録媒体に記録を行う記録手段を備えたインクジェット記録装置において、前記記録手段のインク吐出口から導き出されるインクを再利用するための記録モードを備えることを特徴とするインクジェット記録装置。
【請求項２】
前記記録手段は、未使用インクのための第１の記録部と、前記再利用インクのための第２の記録部とから構成されることを特徴とする請求項１に記載のインクジェット記録装置。
【請求項３】
前記再利用インクの記録モードを有効にするための選択手段を備え、該選択手段により前記記録モードが有効に設定された場合、前記第２の記録部による記録が行われ、前記記録モードが選択されていない場合、前記第１の記録部による記録が行われることを特徴とする請求項１または２に記載のインクジェット記録装置。
【請求項４】
前記再利用インクの記録モードを有効にするための選択手段を備え、該選択手段により前記記録モードが有効に設定された場合、前記第１および第２の記録部による記録が行われ、前記記録モードが選択されていない場合、前記第１の記録部のみによる記録が行われることを特徴とする請求項１または２に記載のインクジェット記録装置。
【請求項５】
前記第１の記録部と第２の記録部は所定量のインクの吐出に必要なエネルギーの発生量が異なり、第２の記録部の吐出エネルギーが第１の記録部の吐出エネルギーより大きいことを特徴とする請求項１から４の何れか１項に記載のインクジェット記録装置。
【請求項６】
前記記録手段は、前記インクを吐出するために利用されるエネルギーを発生する素子として、前記インクに膜沸騰を生じさせる熱エネルギを発生する電気熱変換体を有することを特徴とする請求項１から５の何れか１項に記載のインクジェット記録装置。
【請求項７】
一つのインク吐出口に対し、前記第２の記録部の電気熱変換体の電気容量が前記第１の記録部の電気熱変換体の電気容量より大きいことを特徴とする請求項５または６に記載のインクジェット記録装置。
【請求項８】
一つのインク吐出口に対し、前記第２の記録部の電気熱変換体は、前記第１の記録部と同一の電気熱変換体に加え更に別の電気熱変換体を備えることを特徴とする請求項５または６に記載のインクジェット記録装置。
【請求項９】
前記記録手段は、前記インクを吐出するために利用されるエネルギーを発生する素子として、インク吐出口に連通する圧力発生室を収縮させて前記インク吐出口からインクを吐出させる圧力発生素子を有することを特徴とする請求項１から５の何れか１項に記載のインクジェット記録装置。
【請求項１０】
一つのインク吐出口に対し、所定の電圧を印加した場合の前記第２の記録部の圧力発生素子の変位が前記第１の記録部の圧力発生素子の変位より大きいことを特徴とする請求項５または９に記載のインクジェット記録装置。
【請求項１１】
一つのインク吐出口に対し、前記第２の記録部の圧力発生素子は、前記第１の記録部と同一の圧力発生素子に加え更に別の圧力発生素子を備えることを特徴とする請求項５または９に記載のインクジェット記録装置。
【請求項１２】
前記圧力発生素子が圧電素子であることを特徴とする請求項９から請求項１１の何れかに記載のインクジェット記録装置。
【請求項１３】
前記第１および第２の記録部がそれぞれ別個の記録ヘッドで構成されることを特徴とする請求項１から１２の何れかに１項に記載のインクジェット記録装置。
【請求項１４】
前記第１および第２の記録部が１個の記録ヘッド内で構成されることを特徴とする請求項１から１２の何れか１項に記載のインクジェット記録装置。
【請求項１５】
吸引手段により前記記録手段に対し吐出回復処理を行う吐出回復装置を更に備え、前記再利用するインクは該吐出回復装置により記録手段より吸引されたものであることを特徴とする請求項１から１４の何れか１項に記載のインクジェット記録装置。
【請求項１６】
前記記録手段に供給されるインクが未使用インクであるか再利用インクであるかを判別する判別手段を備えることを特徴とする請求項１から１５の何れか１項に記載のインクジェット記録装置。
【請求項１７】
前記再利用されるインクは染料系インクであることを特徴とする請求項１から１６の何れか１項に記載のインクジェット記録装置。
【発明の詳細な説明】
【技術分野】
【０００１】
本発明は、記録手段から記録媒体へインクを吐出して画像等の記録を行うインクジェット記録装置に関するものである。
【背景技術】
【０００２】
プリンタ、複写機、ファクシミリ等の機能を有する記録装置、或いはコンピューターやワードプロセッサ等を含む複合機やワークステーションの出力機器として用いられる記録装置は、画像情報に基づいて用紙やプラスチック薄板（例えば、ＯＨＰ等に用いる）等の記録媒体に画像を記録していくように構成されている。前記記録装置は、使用する記録手段の記録方法により、インクジェット式、ワイヤドット式、感熱式、熱転写式、レーザービーム式等に分けられる。
【０００３】
そのうち、インクジェット式の記録装置（インクジェット記録装置）は、記録手段（記録ヘッド）から記録媒体にインクを吐出して記録を行うものであり、記録手段のコンパクト化が容易であり、高精細な画像を高速で記録することができ、普通紙に特別の処理を必要とせずに記録することができ、ランニングコストが安く、ノンインパクト方式であるため騒音が少なく、しかも多色のインクを使用してカラー画像を記録するのが容易である等の利点を有している。
【０００４】
従来、インクジェット記録ヘッドにおいては、特開昭５５−１３２２５３号公報に記載されているように、シリコン基板上に形成された電気熱変換体と該シリコン基板上の記録用インク吐出口と、前記電気熱変換体による熱作用部を有するインク流路と、該インク流路にインクを供給する共通液室を構成するための凹部を有した天板とを接合することによって構成されている。
【０００５】
このインクジェット記録ヘッドにおいては、前記シリコン基板上に配された電気熱変換体を駆動するための駆動回路が該シリコン基板内に作り込まれている。前記シリコン基板の駆動回路からの配線を引き出す配線板を備え、前記駆動回路を作り込んだシリコン基板及び該配線基板は、放熱部材上に隣接して配置されている。
【０００６】
前記駆動回路を作り込み、電気熱変換体を備えたシリコン基板上に配された端子との間の電気的接続は、電気熱変換体より引き出された一方のアルミ配線は、シリコン基板内に作り込まれた駆動回路に接続され、もう一方のアルミ配線は、一括して２層配線により該シリコン基板の端部に引き出され、ワイヤーボンディングによって配線基板上の電源のコモン端子に接続されている。
【０００７】
また別のインクジェット記録ヘッドとしては、特開平５−１６９６５７号に記載されている構成が知られている。
【０００８】
上記インクジェット記録装置に於いては、インクタンクから記録ヘッドに至るインク供給系に塵埃や気泡が混入することがあり、記録ヘッドに設けられているインク吐出口やこれに連通する液路は一般的に、内径が数ミクロンから数十ミクロンの程度と微小のために、混入した塵埃や気泡が記録ヘッドの液路に導かれると、液路内に付着してインクの流れを阻害し、インク吐出効率を低下させたり、甚だしい場合には目詰まりを生じてインクの吐出不良を引き起こしたりする恐れがある。また、かかる記録装置にインクを充填したままで長時間インクの吐出を行わなかった場合には、インクを構成する成分が沈殿して同様にインクの吐出異常を生じさせる恐れがある。
【０００９】
そこで、これらの問題の解消を図るには、記録に際して、記録ヘッドからのインク吐出を良好な状態に維持させることが望ましく、そのための回復手段として、加圧回復手段や、吸引回復手段などが採用されてきた。これらのうち、吸引回復手段は、インク吐出口の周辺部をキャップで塞いだ状態で吸引ポンプなどを用いて吐出口からインクを吸引し、液路内に堆積するインクの固着物や気泡、塵埃などの障害物を液路内から除去するものである。
【００１０】
また、このようなインクジェット記録装置に於いては、吐出口面上に付着したインクや塵埃などのインク吐出の妨げとなる異物を除去するために、ゴム等の弾性体で形成されたブレードにより吐出口面を拭き取り清掃する処理、すなわちワイピング動作が行われている。
【００１１】
さらには、記録中に使用頻度の低いノズルの乾燥・固着を防ぐため一定間隔を以て回復動作としての吐出、すなわち予備吐出動作が行われる。これは吐出されないノズル内のインクが乾燥しない程度の間隔（例えば２０秒毎）で、記録部以外の所定の位置に全ノズルからインクを吐出するものである。また、前記ブレードによる拭き取り処理後の吐出安定を目的として、ワイピング動作後にも予備吐出が行われることもある。
【００１２】
これらの一連の回復手段は、一般には記録範囲以外に設けられたキャップ、吸引ポンプ、ブレード等を含む回復装置によって行われるものであり、前記予備吐出動作についても、回復装置に具えられた開口部である予備吐出受け部に行われるのが一般的である。この予備吐出受け部に吐出されたインクは、開口部から導かれた流路によって、回復装置下方に設けられた廃インク吸収体に伝達保持される。
【特許文献１】特開昭５５−１３２２５３号公報
【発明の開示】
【発明が解決しようとする課題】
【００１３】
インクジェット記録装置に限らず、記録装置は更なる印刷実行速度（スループット）の向上、高精細化、多機能化を目指した製品開発を進めている。これに加え、インクジェット記録装置はカラー化が容易なことも特徴の１つであり、これにより画像をより写真画質に近づけるべく技術開発が進められている。
【００１４】
これらの技術開発を進める手段としては、インク吐出ノズルの多ノズル化、インクの基本色の増加、モータを代表とする駆動制御の高精度化、インク吐出制御を代表とする画像形成技術の向上などが挙げられる。
【００１５】
一方、近年の環境保護意識の高まりとともに、製品のリサイクルや高寿命化（耐久性の向上）も避けては通れない状況になりつつある。
【００１６】
本発明の目的は、所謂“エコ”に対応した記録装置の提供にあり、
１．省スペース＝吸引するインクの量が増えても製品本体サイズを大きくしない。
【００１７】
２．省資源＝廃棄していたインクを再利用する。
【００１８】
３．環境保全性＝廃棄する部品（本体、インク）の量を最小限に抑える。
ことにある。
【課題を解決するための手段】
【００１９】
上記目的を達成するための本発明に係る代表的な構成は、インクを吐出して記録媒体に記録を行う記録手段を備えたインクジェット記録装置において、前記記録手段のインク吐出口から導き出されるインクを再利用するための記録モードを備えることを特徴とする。
【００２０】
従来廃インクとして処理されていたインクを再利用することにより、廃インク吸収体の体積を削減することができ、製品本体の大きさを小さくすることができる。これにより、梱包材など製品に係る他の要素も削減が可能であり、省資源に寄与することができる。
【００２１】
また、再利用インクのための記録モードを備えることにより、未使用インクに対して物性的に何らかの劣化しているであろう再利用インクの特性を補うことができ、良好な記録特性を保つことができる。
【発明の効果】
【００２２】
以上説明したように本発明によれば、従来廃インクタンクに貯留するだけで製品とともに廃棄していた廃インクを再利用することができ、そのため、廃棄する廃インクの削減、結果としてのランニングコストの低減という経済性の向上、また、廃インク用吸収体の削減、結果としての装置のコンパクト化を達成することができる。
【発明を実施するための最良の形態】
【００２３】
上述の本発明の構成において、前記記録手段は、未使用インクのための第１の記録部と、前記再利用インクのための第２の記録部とから構成されるとよい。
【００２４】
第１の記録部および第２の記録部は、記録手段を個別に２つ備える形態とか、あるいは１つの記録手段の内部を第１および第２の記録部に分割した形態とかで構成することができる。これにより未使用インク、再利用インクそれぞれのインクの吐出部の構成を最適化し、インクの特性に応じた制御を行うことができる。
【００２５】
更に、前記再利用インクの記録モードを有効にするための選択手段を備え、該選択手段により前記記録モードが有効に設定された場合、前記第２の記録部による記録が行われ、前記記録モードが選択されていない場合、前記第１の記録部による記録が行われるようにするとよい。
【００２６】
前記構成により機構的にインクの吐出を最適化しているのであるから、制御上何れのインクによる記録を行うかの選択手段を備えることにより、所望するインクでの実際の記録が可能になる。
【００２７】
あるいは、前記再利用インクの記録モードを有効にするための選択手段を備え、該選択手段により前記記録モードが有効に設定された場合、前記第１および第２の記録部による記録が行われ、前記記録モードが選択されていない場合、前記第１の記録部のみによる記録が行われるようにするとよい。
【００２８】
再利用インクによっては、特性上未使用インクと同等の印刷品位を選られる場合があり得る。この場合、前記記録モードを選択した場合でも再利用インクを未使用インクと同時に使用することにより、本発明の効果を更に高めることができる。
【００２９】
前記第１の記録部と第２の記録部は所定量のインクの吐出に必要なエネルギーの発生量が異なり、第２の記録部の吐出エネルギーが第１の記録部の吐出エネルギーより大きいとよい。
【００３０】
記録手段の第１の実施形態としては、インクを吐出するために利用されるエネルギーを発生する素子として、前記インクに膜沸騰を生じさせる熱エネルギを発生する電気熱変換体を有する記録手段がある。
【００３１】
この形態においては、一つのインク吐出口に対し、前記第２の記録部の電気熱変換体の電気容量が前記第１の記録部の電気熱変換体の電気容量より大きくするか、または、一つのインク吐出口に対し、前記第２の記録部の電気熱変換体は、前記第１の記録部と同一の電気熱変換体に加え更に別の電気熱変換体を備えるとよい。
【００３２】
再利用インクは含まれている揮発成分や水分が蒸発することにより、未使用インクに比べ増粘している割合が高い。したがって、同じ量のインクを吐出させる場合のエネルギーはより多く必要になる。吐出口あたりの電気熱変換体の電気容量を増やすことにより吐出エネルギーを増やすことができ、増粘したインクの場合でも吐出が可能になる。
【００３３】
記録手段の第２の実施形態としては、インクを吐出するために利用されるエネルギーを発生する素子として、インク吐出口に連通する圧力発生室を収縮させて前記インク吐出口からインクを吐出させる圧力発生素子を有するとよい。
【００３４】
この形態においては、一つのインク吐出口に対し、所定の電圧を印加した場合の前記第２の記録部の圧力発生素子の変位が前記第１の記録部の圧力発生素子の変位より大きくするか、または、一つのインク吐出口に対し、前記第２の記録部の圧力発生素子は、前記第１の記録部と同一の圧力発生素子に加え更に別の圧力発生素子を備えるとよい。
【００３５】
前記記録手段の第１の実施形態と同様に、吐出口あたりのインク吐出エネルギーを増やすことにより、増粘したインクの吐出が可能になる。
【００３６】
なお、前記圧力発生素子は圧電素子を用いることにより、記録手段を容易に構成することができる。
【００３７】
上述の形態の記録ヘッドは、前記第１および第２の記録部がそれぞれ別個の記録ヘッドで構成するか、または、前記第１および第２の記録部が１個の記録ヘッド内で構成するとよい。
【００３８】
本発明の主旨はインク特性により記録部を複数持つ形態であり、記録ヘッドが複数である場合、１つの記録ヘッド内に構成する場合の何れにおいても目的を達成することができる。
【００３９】
上述の形態による記録ヘッドにおいて、吸引手段により前記記録手段に対し吐出回復処理を行う吐出回復装置を更に備え、前記再利用するインクは該吐出回復装置により記録手段より吸引されたものであるとよい。
【００４０】
インクジェット記録手段より吐出されるインクは、吐出時に熱履歴を受ける場合が多い。このため、吐出前のインクに比べ、吐出に用いられたインクは熱による物性劣化を起こしており、そのままで再利用するのには不向きである。
【００４１】
また、前記予備吐出動作と吐出回復吸引動作とで消費されるインク量の比は、例えばキヤノン(株)製ＢＪ− Ｆ６００の場合、予備吐出量：吐出回復吸引量＝１：１４０程度でしかなく、再利用の効率・効果から考えると吐出回復で吸引されるインクを対象にした方が好ましい。
【００４２】
上述の実施形態において、前記記録手段に供給されるインクが未使用インクであるか再利用インクであるかを判別する判別手段を備えるとよい。
【００４３】
前記第１および第２の記録部は、それぞれ未使用インク、再利用インクの吐出に最適化された構成とされる。逆に、各記録部に供給されるインクが入れ替わった場合、エネルギー過剰によるミストの増加や、エネルギー不足による不吐出がおきる可能性がある。前記インク判別手段を備えることにより、各インクを最適化された記録部に供給することが可能になり、前記印字不良の要因を取り除くことができる。
【００４４】
上述の実施形態において、再利用されるインクは染料系インクである方が好ましい。顔料系インクの場合、大気中での水分の蒸発が染料系に比べ格段に早い。再利用のために記録装置内に顔料系インクを保持するには相応の機構が必要となり、再利用で得られるはずの省スペース、経済性が犠牲になるおそれがある。
【実施例１】
【００４５】
以下、図面を参照して本発明の実施例を説明する。図１は本発明を適用するのに好適なインクジェット記録装置の機械的構成を示す図で、フロントカバーを取り外し装置内部が見えるようにした状態を示す。
【００４６】
図１において、インク収容部であるインクタンクとインクを吐出する記録ヘッド部とから成るヘッドカートリッジ１は、キャリッジ２に交換式に搭載される。キャリッジ２は、ガイド軸３およびガイド板４に沿って往復移動可能に案内支持されており、キャリッジモータ（不図示）により、タイミングベルト機構５を介して往復駆動される。このキャリッジ２の往復運動に同期して、フレキシブルケーブル９を介して送られる制御基板からの記録情報に応じて記録ヘッドを駆動することより、記録媒体（記録用紙等）に画像（文字や記号も含む）が記録される。
【００４７】
１行分の記録が終わると、紙送りローラ６および排紙ローラ７、拍車（不図示）によって記録媒体を１行分だけ紙送りし、停止している記録媒体に対してキャリッジ２を移動させながら次の行の記録を行う。以下、このような間欠的な送紙り動作と上記記録動作を交互に繰り返すことにより、記録媒体の全域に対する記録が行われる。
【００４８】
記録ヘッドは、熱エネルギを利用してインクを吐出するインクジェット記録手段であって、熱エネルギを発生するための電気熱変換体を備えたものである。また、記録ヘッド１は、前記電気熱変換体によって印加される熱エネルギにより生じる膜沸騰による気泡の成長、収縮によって生じる圧力変化を利用して、吐出口よりインクを吐出させ、記録を行うものである。
【００４９】
図２は本発明の実施の形態で用いられるヘッドカートリッジ１の詳細図である。図２において、１５は交換式の未使用インク用タンクであり、１６は同じく交換式の再利用インク用タンクである。１５１、１６１はインクタンク１５、１６とそれぞれ供給管を介して記録ヘッド部１１とを連結するための連結口である。再利用インク用タンク１６には、未使用インク用タンク１５には無い接点１６２が設けられており、ヘッドカートリッジ１の接点（不図示）とコンタクトをとることにより、インクタンクの種別を判別する。１２は電気信号の接点部であり、前述のフレキシブルケーブル９（図１）から送られてくる駆動信号を記録ヘッド部１２に伝えるように構成されている。
【００５０】
図３は、本発明を適用したヘッドカートリッジ１の記録ヘッド部１１の構造を模式的に示す部分斜視図である。図３において、記録媒体と所定の隙間（例えば、約０．５〜２．０ｍｍ程度）をおいて対面する吐出口面１１１には、所定のピッチで複数の吐出口１１２が形成され、共通液室１１３と各吐出口１１２とを連通する各液路１１４の壁面に沿ってインク吐出用のエネルギーを発生するための電気熱変換体（発熱抵抗体など）１１５が配設されている。本実施例においては、記録ヘッド部１１は、吐出口１１２がキャリッジ２の走査方向と交叉する方向に並ぶような位置関係で、キャリッジ２に搭載されている。こうして、画像信号または吐出信号に基づいて対応する電気熱変換体１１５を駆動（通電）して、液路１１４内のインクを膜沸騰させ、その時に発生する圧力によって吐出口１１２からインクを吐出させる記録ヘッド部１１が構成されている。
【００５１】
図４は、図３の電気熱変換体について説明するための図である。（Ａ）は未使用インク用の吐出口、（Ｂ）は再利用インク用の吐出口を示しており、一つの記録ヘッド部１１内で吐出口列を分割して（Ａ）、（Ｂ）の吐出口を配置している。
【００５２】
図４の（Ａ）、（Ｂ）に示すように、電気熱変換体は未使用インク用の１１５（ａ）に比べ再利用インク用の１１５（ｂ）の方を大きくしている。これにより再利用インクにはより多くの吐出エネルギーを付与することができ、増粘などで落ちた飛翔性を補うことができる。
【００５３】
図１において、ヘッドカートリッジ１の移動範囲であって記録領域を外れた所定位置には、ヘッドカートリッジ１のインク吐出不良（不吐出を含む）を解消したり、正常なインク吐出を維持したりするための回復装置８が設けられている。図５は、この回復装置８の構成を説明するための斜視図である。
【００５４】
図５において、回復装置８の内部にはピストンロッド８８を往復動することによって吸引負圧を発生させるポンプ８７が設けられている。このポンプ８７に設けられた吸引口８７１は、キャップチューブ８７２によってキャップ８１に接続されている。また、ポンプ８７に設けられた廃インク口８７５は、廃インクチューブ８７６を経て、廃インクタンク１６に接続されている。この廃インクタンク１６はヘッドカートリッジ１の再利用インク用タンク１６と同形状、同機能を持っており、廃インク処理位置より取り外してそのままヘッドカートリッジ１に装着することが可能である。
【００５５】
キャップ８１はキャップホルダ８２に支持されており、記録ヘッド部１１の吐出口面１１１に対して密接／離間可能に構成されている。すなわち、キャップ８１を吐出口面１１１に密着させた状態でポンプ８７を作動させて吐出口１１２に負圧を作用させることにより、増粘したインク、気泡、塵埃等の異物をインクとともに吸出してこれを排出するように構成されている。
【００５６】
８３はゴムなどの材質で構成されたブレードであり、吐出口面１１１に付着したインクや塵埃等の異物を拭き取り除去する。
【００５７】
ブレード８３はブレードホルダ８４に支持されており、吐出口面１１１に対して当接／離間するように構成されている。すなわち、ブレード８３が吐出口面１１１に押付けられる位置にまでブレードホルダ８４を前進させ、この状態においてキャリッジ２を移動させることにより吐出口面１１１に付着したインクや不純物を除去することができる。
【００５８】
また、８５は回復動作として吐出（予備吐出）されたインクを受けるための予備吐出受け部であり、吐出されたインクは内部に設けられた予備吐出吸収体８６により保持される。
【００５９】
図６は、本発明を適用するのに好適なインクジェット記録装置の制御系の構成例を示すブロック図である。
【００６０】
制御基板１０００はプリント回路基板の形態を成している。１００１は装置全体に関するデータ処理を実行するＭＰＵ、１００４はこの処理手順等を格納するマスクＲＯＭ、１００３は上記データ処理の際のワークエリアとして用いられるダイナミックＲＡＭ（ＤＲＡＭ）、１００２はＭＰＵ１００１の処理に係る種々の回路が形成されているゲートアレイ（ＧＡ）である。
【００６１】
ＭＰＵ１００１はＩ／Ｆ１００５を介してホスト装置から転送されてくる記録データをヘッドカートリッジ１で用いる吐出データに変換し、ヘッドカートリッジ１における吐出タイミングに応じてこのデータをヘッドカートリッジ１のドライバへ転送する作業を行う。
【００６２】
制御基板１０００には各モータの駆動回路すなわちキャリッジ２を主走査方向に往復走査させるＣＲモータ３１を駆動するためのＣＲモータドライバ１０１１、搬送ローラ５等を駆動するＬＦモータ３２を駆動するためのＬＦモータドライバ１０１２、回復装置８を動作させるＰＧモータ３３を駆動するＰＧモータドライバ１０１３も設けられている。キャリッジ２にはホームポジションを検出するためのＨＰセンサ２２、再利用インク用のタンクの装着を検知するタンクセンサ２１も設けられている。
【００６３】
フロントパネル４０はキー入力や情報表示のための機能を有するほか、再利用インクを使用するか否かを選択するＥｃｏモード選択ＳＷ４１を備えている。選択ＳＷ４１がＯＦＦ状態の場合、未使用インクを用いて記録を行う。一方選択ＳＷ４１がＯＮ状態の場合、再利用インクを用いて記録を行う。これらインク吐出制御はＭＰＵ１００１によって行われる。その他、ホームポジションセンサ２２、用紙検出（ＰＥ）センサ３４からの検出情報に応じて、ＭＰＵ１００１は各種処理を実行する。
【００６４】
次に図３に示す電気熱変換体の別の配置構成例について、図７を用いて説明する。上述の実施例と同様に、（Ａ）は未使用インク用の吐出口、（Ｂ）は再利用インク用の吐出口を示しており、一つの記録ヘッド部１１内で吐出口列を分割して（Ａ）、（Ｂ）の吐出口を配置している。
【００６５】
図７の（Ａ）に示すように、電気熱変換体は未使用インク用の吐出口に１１５（ａ）が備えられている。また（Ｂ）に示すように、再利用インク用の吐出口には１１５（ｂ）と１１５（ｃ）の２つの電気熱変換体が備えられている。ここで、電気容量を１１５（ａ）＝１１５（ｂ）とした場合、１１５（ｃ）が設けられている分再利用インクにはより多くの吐出エネルギーを付与することができ、第１の実施例と同様、増粘などで落ちた飛翔性を補うことができる。
【実施例２】
【００６６】
第１の実施例はインクの吐出手段として、電気熱変換体によりインクに膜沸騰を生じさせ、その力によりインクを吐出するものとして説明した。
【００６７】
本発明は、圧力発生素子の伸縮作用によりインク吐出口に連通する圧力発生室を収縮させてインク吐出口からインクを吐出させるインク吐出手段に対しても有効である。
【００６８】
図８は本発明を適用したインクジェットヘッドの第２の実施例を示す断面図であり、 （Ａ）は未使用インク用のヘッド構成を示し、（Ｂ）は再利用インク用のヘッド構成を示す。
【００６９】
図８において、インク吐出口２１２は吐出口形成部材２１１に所定ピッチで形成されている。圧力室２１４は圧力室形成部材２１７と蓋部材２１８より成り、インク液路形成部材２１５、インク供給路形成部材２１６により、インク吐出口２１２へのインク供給を可能にする。インク供給路形成部材２１６にはインク供給路２１３が設けてあり、インクタンク（不図示）へと接続されている。
【００７０】
圧電素子２２０で発生した機械的エネルギーは突起２１９、蓋部材２１８を介して圧力室２１４内のインクに伝えられる。圧電素子２２０は圧電体２２２を積層し、各層間に内部電極２２１を形成し、側面で外部電極２２３に接続されている構成をとっている。２４０は記録信号に応じて圧電素子への印加を制御するスイッチング素子である。
【００７１】
本実施例において、圧電素子２２０（ｂ）の圧電体２２２（ｂ）は圧電素子２２０（ａ）の圧電体２２２（ａ）に比べ伸縮方向への変位量が大きくなるように構成されている。この状態でそれぞれの圧電素子に電圧を印加すると（図９）、圧電素子２２０（ａ）、（ｂ）はそれぞれ矢印２５０方向へ収縮するが、その収縮量は圧電素子２２０（ｂ）の方が大きい。すなわち、圧力室２１４（ｂ）内の再利用インクにはより多くの吐出エネルギーを付与することができ、増粘などで落ちた飛翔性を補うことができる。
【図面の簡単な説明】
【００７２】
【図１】本発明を適用したインクジェット記録装置の外観を示す斜視図である。
【図２】図１に示すヘッドカートリッジの構成を示す斜視図である。
【図３】図２のヘッドカートリッジのインク吐出部の構造を模式的に示す分解斜視図である。
【図４】本発明の実施例１の記録ヘッドの構成を示す模式図である。
【図５】図１に示す回復装置の構成を示す斜視図である。
【図６】図１に示すインクジェット記録装置の制御構成を示すブロック図である。
【図７】本発明の実施例１の記録ヘッドの別の構成を示す模式図である。
【図８】本発明の実施例２の記録ヘッドの構成を示す模式図である。
【図９】図８に示す圧電素子が変形（圧縮）した状態を示す模式図である。
【符号の説明】
【００７３】
１  ヘッドカートリッジ
２  キャリッジ
３  ガイド軸
４  ガイド板
５  タイミングベルト機構
６  搬送ローラ
７  排紙ローラ
８  回復装置
９  フレキシブルケーブル
１１  記録ヘッド部
１２  電気信号接点部
１５  未使用インク用タンク
１６  再利用インク用タンク
２１  タンクセンサ
２２  ＨＰセンサ
３１  ＣＲモータ
３２  ＬＦモータ
３３  ＰＧモータ
３４  ＰＥセンサ
３５  電源
４０  フロントパネル
４１  Ｅｃｏモード選択ＳＷ
８１  キャップ
８２  キャップホルダ
８３  ブレード
８４  ブレードホルダ
８５  予備吐出受け部
８６  予備吐出吸収体
８７  ポンプ
８８  ピストンロッド
１１１  吐出口面
１１２  吐出口
１１３  液室
１１４  液路
１１５  電気熱変換体
１５１  連通口
１６１  連通口
１６２  接点
２１１  吐出口形成部材
２１２  インク吐出口
２１３  インク供給路
２１４  圧力室
２１５  インク液路形成部材
２１６  インク供給路形成部材
２１７  圧力室形成部材
２１８  蓋部材
２１９  突起
２２０  圧電素子
２２１  内部電極
２２２  圧電体
２２３  外部電極
２４０  スイッチング素子
８７１  吸引口
８７２  キャップチューブ
８７５  廃インク口
８７６  廃インクチューブ
１０００制御基板
１００１  ＭＰＵ
１００２  ＧＡ
１００３  ＤＲＡＭ
１００４  マスクＲＯＭ
１００５  Ｉ／Ｆ
１０１１  ＣＲモータドライバ
１０１２  ＬＦモータドライバ
１０１３  ＰＧモータドライバ
【図１】
2006051758.tif 000003
【図２】
2006051758.tif 000004
【図３】
2006051758.tif 000005
【図４】
2006051758.tif 000006
【図５】
2006051758.tif 000007
【図６】
2006051758.tif 000008
【図７】
2006051758.tif 000009
【図８】
2006051758.tif 000010
【図９】
2006051758.tif 000011